(57)【要約】  【課題】商品収納室の床面表面材を介する熱損失を低減して断熱性能を向上させる。  【解決手段】金属薄板１４をホット室１２とコールド室１３の境界部で左右に切り起こして金属薄板１４の下部に設けた断熱材１５を露出させ、露出した断熱材１５に密着するように仕切板１０を配設し、金属薄板１４をホット室１２とコールド室１３間で縁切りしたものであり、ホット室１２またはコールド室１３から金属薄板１４を介しての熱移動は、仕切板１０により断熱されるため、各室間での熱損失が低減される。【選択図】図１
2006127374.tif 000002
【特許請求の範囲】
【請求項１】
商品収納室の底面に設けた金属薄板と、前記金属薄板の下部に設けた断熱材と、商品収納室のホット室とコールド室を仕切る仕切板を備え、前記金属薄板をホット室とコールド室の境界部で左右に切り起こして前記金属薄板の下部に設けた前記断熱材を露出させ、露出した前記断熱材に密着するように前記仕切板を配設し、前記金属薄板をホット室とコールド室間で縁切りした自動販売機。
【請求項２】
仕切板の前方下部と左右に切り起こした金属薄板をビスで固定した請求項１に記載の自動販売機。
【請求項３】
商品収納室の底面の表面材を樹脂で構成した自動販売機。
【請求項４】
商品収納室のヒータ下部周辺に位置する底面の表面材を金属薄板で構成した請求項３に記載の自動販売機。
【請求項５】
商品収納室の底面の表面材を耐熱樹脂で構成した自動販売機。
【発明の詳細な説明】
【技術分野】
【０００１】
本発明は商品収納室の底面の表面材をホット室とコールド室間で縁切りした自動販売機に関するものである。
【背景技術】
【０００２】
従来、この種の自動販売機は断熱部材にて内箱を構築し、ホット室とコールド室間の熱損失を減少させている（例えば特許文献１参照）。
【０００３】
図４は、特許文献１に記載された従来の自動販売機を示すものである。図４に示すように、商品収納室１と、天井断熱材２と、側面断熱材３と、床面表面材４と、床面断熱材５とから構成されている。
【特許文献１】特開２０００−１６３６３９号公報
【発明の開示】
【発明が解決しようとする課題】
【０００４】
しかしながら、上記従来の構成では、商品収納室の床面表面材が金属薄板で構成されているため、ホット室とコールド室間で、金属薄板を介して熱移動が起こるため、各室間で熱損失が発生し断熱性能が低下するという課題を有していた。
【０００５】
本発明は、上記従来の課題を解決するもので、商品収納室の床面表面材を介する熱損失を低減して断熱性能を向上させた自動販売機を提供することを目的とする。
【課題を解決するための手段】
【０００６】
上記従来の課題を解決するために、本発明の自動販売機は、金属薄板をホット室とコールド室の境界部で左右に切り起こして前記金属薄板の下部に設けた断熱材を露出させ、露出した前記断熱材に密着するように仕切板を配設し、前記金属薄板をホット室とコールド室間で縁切りしたものである。
【０００７】
これによって、ホット室またはコールド室から前記金属薄板を介しての熱移動は、ホット室とコールド室間に挿入された仕切板により断熱されるため、各室間での熱損失が低減される。
【０００８】
また、本発明の自動販売機は、商品収納室の底面の表面材を樹脂で構成したものである。
【０００９】
これによって、前記表面材は、熱伝導率の小さな樹脂で構成されているため、ホット室とコールド室間での熱損失が低減される。
【００１０】
また、本発明の自動販売機は、商品収納室の底面の表面材を耐熱樹脂で構成したものである。
【００１１】
これによって、ホット室とコールド室間での熱損失を低減するとともに、前記商品収納室の底部に設けられる加温ヒータによる熱で、前記表面材が変形するのを防止できる。
【発明の効果】
【００１２】
本発明の自動販売機は、商品収納室の床面表面材を介する熱損失を低減して断熱性能を向上させることができる。
【発明を実施するための最良の形態】
【００１３】
請求項１に記載の発明は、商品収納室の底面に設けた金属薄板と、前記金属薄板の下部に設けた断熱材と、商品収納室のホット室とコールド室を仕切る仕切板を備え、前記金属薄板をホット室とコールド室の境界部で左右に切り起こして前記金属薄板の下部に設けた前記断熱材を露出させ、露出した前記断熱材に密着するように前記仕切板を配設し、前記金属薄板をホット室とコールド室間で縁切りすることにより、ホット室またはコールド室から前記金属薄板を介しての熱移動は、ホット室とコールド室間に挿入された仕切板により断熱されるため、各室間での熱損失が低減され、断熱性能が向上する。
【００１４】
請求項２に記載の発明は、請求項１に記載の発明の仕切板の前方下部と左右に切り起こした金属薄板をビスで固定したものであり、ビスの取付位置が前記仕切板の前方下部に設けられているため作業性が向上するとともに、ビスが仕切板の内部に埋没する状態で取付けられるため、ビスを介する熱伝導による熱損失も抑制できる。
【００１５】
請求項３に記載の発明は、商品収納室の底面の表面材を樹脂で構成したものであり、前記表面材が熱伝導率の小さな樹脂で構成されているため、ホット室とコールド室間での熱伝導による熱損失が低減され、断熱性能が向上する。
【００１６】
請求項４に記載の発明は、請求項３に記載の発明において、商品収納室のヒータ下部周辺に位置する底面の表面材を金属薄板で構成したものであり、前記商品収納室の底部に設けられる加温ヒータによる熱で、前記表面材が変形するのを防止するとともに、前記表面材を介しての熱伝導による熱損失を低減し、断熱性能を向上することができる。
【００１７】
請求項５に記載の発明は、商品収納室の底面の表面材を耐熱樹脂で構成したものであり、ホット室とコールド室間での熱伝導による熱損失を低減して断熱性能を向上するとともに、製造工数を増加させることなく、前記商品収納室の底部に設けられる加温ヒータによる熱で、前記表面材が変形するのを防止できる。
【００１８】
以下、本発明の実施の形態について、図面を参照しながら説明する。なお、この実施の形態によってこの発明が限定されるものではない。
【００１９】
（実施の形態１）
図１は、本発明の実施の形態１における自動販売機の本体断面図を示すものである。図２は、同実施の形態の仕切板と表面材の要部拡大図である。図３は、同実施の形態のビス止めされた仕切板と表面材の要部拡大図である。
【００２０】
図１、図２において、仕切板１０は商品収納室１１をホット室１２とコールド室１３に仕切っている。商品収納室１１の底面に布設された金属薄板１４をホット室１２とコールド室１３の境界部分で左右に切り起こして金属薄板の下部に設けた断熱材１５を露出させ、露出した断熱材１５に密着するように仕切板１０を配設し、金属薄板をホット室とコールド室間で縁切りするよう構成している。
【００２１】
以上のように構成された自動販売機について、以下その動作、作用を説明する。
【００２２】
まず、ホット室１２またはコールド室１３から金属薄板１４を伝わる熱移動は、ホット室１２とコールド室１３の境界部の左右切り起こし部分で収束し、露出した断熱材１５と密着するよう配設された仕切板１０を伝熱してホット室１２またはコールド室１３に移動する。
【００２３】
このとき、ホット室１２またはコールド室１３からの熱移動は、熱伝導率の大きな金属薄板１４ではなく、熱伝導率の小さな仕切板１０を介して伝熱する。
【００２４】
以上のように、本実施の形態においては、金属薄板１４をホット室１２とコールド室１３の境界部で左右に切り起こして金属薄板１４の下部に設けた断熱材１５を露出させ、露出した断熱材１５に密着するように仕切板１０を配設し、金属薄板１４をホット室１２とコールド室１３間で縁切りすることにより、各室からの熱移動は、熱伝導率の大きな金属薄板１４ではなく、熱伝導率の小さな仕切板１０を介して伝熱するため、各室間での熱損失が低減され、断熱性能が向上する。
【００２５】
また、図３に示すように、本実施の形態の仕切板の前方下部と左右に切り起こした金属薄板をビスで固定することにより、ビス１６の取付位置が前記仕切板１０の前方下部に設けられているため作業性が向上するとともに、ビス１６が仕切板１０の内部に埋没する状態で取付けられるため、ビス１６を介する熱伝導による熱損失も抑制できる。
【００２６】
また、本実施の形態の商品収納室１１の底面の表面材を樹脂で構成したものであり、前記表面材が熱伝導率の小さな樹脂で構成されているため、ホット室１２とコールド１３室間での熱伝導による熱損失が低減され、断熱性能が向上する。
【００２７】
また、本実施の形態の商品収納室１１のヒータ下部周辺に位置する底面の表面材を金属薄板で構成したものであり、商品収納室１１の底部に設けられる加温ヒータによる熱で、前記表面材が変形するのを防止するとともに、前記表面材を介しての熱伝導による熱損失を低減し、断熱性能を向上することができる。
【００２８】
また、本実施の形態の商品収納室１１の底面の表面材を耐熱樹脂で構成したものであり、ホット室１２とコールド室１３間での熱伝導による熱損失を低減して断熱性能を向上するとともに、製造工数を増加させることなく、商品収納室１１の底部に設けられる加温ヒータによる熱で、前記表面材が変形するのを防止できる。
【産業上の利用可能性】
【００２９】
以上のように、本発明にかかる自動販売機は、ホット室とコールド室間での熱損失が低減され、断熱性能の向上が可能となるので、冷温蔵庫等の用途にも適用できる。
【図面の簡単な説明】
【００３０】
【図１】本発明の実施の形態１における自動販売機の本体断面図
【図２】同実施の形態の仕切板と表面材の要部拡大図
【図３】同実施の形態のビス止めされた仕切板と表面材の要部拡大図
【図４】従来の自動販売機の商品収納室の構成図
【符号の説明】
【００３１】
１０  仕切板
１１  商品収納室
１２  ホット室
１３  コールド室
１４  金属薄板
１５  断熱材
１６  ビス
【図１】
2006127374.tif 000003
【図２】
2006127374.tif 000004
【図３】
2006127374.tif 000005
【図４】
2006127374.tif 000006